(57)【要約】【課題】送信された操作信号を処理装置本体において常時確実に受信することで、処理装置本体の設置場所の制約が少なくかつ使い勝手のよい水処理装置を提供することを目的とする。【解決手段】  原水を処理する装置本体３を備える。装置本体３から離れた任意の位置に設置される吐水スタンド２を備える。吐水スタンド２は、設置面に設置されるベース部３１を備える。また連絡管２０を介して装置本体３に接続されて装置本体３で生成した処理水を吐水する吐水部２１を備える。また装置本体３を遠隔操作するための操作部３２を備える。また操作部３２が操作された際に操作信号を装置本体３に設けた受信部３０ａに無線送信する送信部２９ａ、２９ｂを複数備える。【選択図】図１
2008168235.tif 000002
【特許請求の範囲】
【請求項１】
原水を処理する装置本体と、装置本体から離れた任意の位置に設置される吐水スタンドを備え、吐水スタンドは、設置面に設置されるベース部と、連絡管を介して装置本体に接続されて装置本体で生成した処理水を吐水する吐水部と、装置本体を遠隔操作するための操作部と、該操作部が操作された際に操作信号を装置本体に設けた受信部に無線送信する送信部を備え、該吐水スタンドは前記送信部を複数備えて成ることを特徴とする水処理装置。
【請求項２】
前記操作部による操作信号を各送信部から天井に向けて送信し、該操作信号を天井に反射させて装置本体の受信部で受信する水処理装置であって、吐水部を、ベース部から立ち上げた縦管部と、縦管部の上端部から横方向に伸びて先端部に処理水を吐水する吐水口部を設けた横管部とからなる吐水管で構成し、該吐水管の横管部を縦軸回りに回動自在とし、前記送信部を平面視で横管部の回動方向に間隔を介して複数設けて成ることを特徴とする請求項１に記載の水処理装置。
【請求項３】
前記操作部による操作信号を各送信部から天井に向けて送信し、該操作信号を天井に反射させて装置本体の受信部で受信する水処理装置であって、各送信部からの操作信号の送信方向を異ならせて成ることを特徴とする請求項１又は請求項２に記載の水処理装置。
【請求項４】
前記操作部を構成する操作釦が押し操作された際には、各送信部は出力時間ｔ２の同一の操作信号を所定の送信時間間隔ｔ１で繰り返し送信し、且つ異なる送信部から送信される操作信号が重複しないように位相をずらして送信するものあって、受信部で操作信号を受信した後、該操作信号の終端から所定時間Ｔ（ここで所定時間Ｔは、ｔ１＜Ｔ＜ｔ１＋ｔ２、ｔ１：前記送信時間間隔、ｔ２：前記操作信号の出力時間）が経過するまでカウントし、該カウント時に操作信号を受信した場合に該カウント時に受信した操作信号の終端から前記所定時間Ｔが経過するまで新たにカウントし、以下、カウント時に操作信号を受信しなくなるまで前記制御を継続して行い、前記カウント時において操作信号を受信しなかった場合に当該カウント前に受信した前記操作信号に基づいて装置本体の動作を制御することを特徴とする請求項１乃至３のいずれか１項に記載の水処理装置。
【請求項５】
原水を供給する水栓に付設されると共に原水吐水口を設けた切替ユニットと、切替ユニットとは離れた位置に設置されて切替ユニットから給水管を介して供給された原水を処理して処理水を生成する装置本体と、装置本体で生成した処理水を吐出する処理水吐出部を備え、切替ユニットは、水栓から供給された原水を前記原水吐水口から吐出するか、又は水栓から供給された原水を前記給水管を介して装置本体に供給するかを切替える切替手段と、装置本体を操作するための操作部と、該操作部が操作された際に操作信号を装置本体に設けた受信部に無線送信する送信部を備え、該切替ユニットは前記送信部を複数備えて成ることを特徴とする水処理装置。
【発明の詳細な説明】
【技術分野】
【０００１】
本発明は水道水のような原水を処理する水処理装置に関する。
【背景技術】
【０００２】
例えば特許文献１に示す従来の水処理装置は、原水を供給する水栓に付設される切替ユニットと、切替ユニットから給水管を介して供給された原水を処理する装置本体を備えている。装置本体は台所の流し台上のスペースにおいて切替ユニットから離れた位置に設置されるものであり、装置本体で生成した処理水を切替ユニットに設けた処理水吐水口から吐出できるようになっている。切替ユニットは装置本体を操作するための操作部と、該操作部が操作された際に操作信号を装置本体の受信部に無線送信する送信部を備え、操作部を操作することで装置本体を遠隔操作して処理水吐水口から吐出される処理水の水質を変更するものである。
【０００３】
ところで流し台上のスペースは限られたものであり、流し台上に食器や、調理器具、調味料や洗剤のボトル等が置かれることが多く、また切替えユニットは水栓に設けられていることから、使用者の都合により様々な向きに変更されることがある。
【０００４】
ここで上記特許文献１に示す水処理装置は操作部が操作された際に操作信号を無線送信するための送信部を一個だけ設けたものであるので、切替ユニットと処理装置本体との間に上記流し台上に置かれた物や水栓が通信にとっての障害物となる場合があり、この場合、切替ユニットから送信された操作信号を処理装置本体で受信することできない。そしてこの場合、操作部で選択された水質の処理水を処理装置本体より供給することができなくなったり、また水処理装置の設置場所が制約を受けたりすることで、水処理装置や台所の使い勝手を悪化させることにつながっていた。
【特許文献１】特開平１１−２７７０４６号公報
【発明の開示】
【発明が解決しようとする課題】
【０００５】
本発明は上記従来の問題点に鑑みて発明したものであって、送信された操作信号を処理装置本体において確実に受信することで、処理装置本体の設置場所の制約が少なくかつ使い勝手のよい水処理装置を提供することを目的とする。
【課題を解決するための手段】
【０００６】
上記課題を解決するために本発明の請求項１に係る水処理装置は、原水を処理する装置本体３と、装置本体３から離れた任意の位置に設置される吐水スタンド２を備え、吐水スタンド２は、設置面に設置されるベース部３１と、連絡管２０を介して装置本体３に接続されて装置本体３で生成した処理水を吐水する吐水部２１と、装置本体３を遠隔操作するための操作部３２と、該操作部３２が操作された際に操作信号を装置本体３に設けた受信部３０ａに無線送信する送信部２９ａ、２９ｂを備え、該吐水スタンド２は前記送信部２９ａ、２９ｂを複数備えて成ることを特徴とする。上記のように水処理装置を装置本体３と、別体の吐水スタンド２で構成することで、処理水を吐水する吐水スタンド２を装置本体３から離れた所望の位置に配置でき、また吐水スタンド２に設けた操作部３２で装置本体３を遠隔操作できる。また特に吐水スタンド２に送信部２９ａ、２９ｂを複数設けたので、複数ある送信部２９ａ、２９ｂのうちいずれかの送信部の送信方向に小物や吐水スタンド２の吐水部２１等の通信を阻害する障害物が位置したとしても、他の送信部によって受信部３０ａとの通信を確保できる。
【０００７】
また請求項２は請求項１において、前記操作部３２による操作信号を各送信部２９ａ、２９ｂから天井５０に向けて送信し、該操作信号を天井５０に反射させて装置本体３の受信部３０ａで受信する水処理装置であって、吐水部２１を、ベース部３１から立ち上げた縦管部３３と、縦管部３３の上端部から横方向に伸びて先端部に処理水を吐水する吐水口部３５を設けた横管部３４とからなる吐水管３６で構成し、該吐水管３６の横管部３４を縦軸回りに回動自在とし、前記送信部２９ａ、２９ｂを平面視で横管部３４の回動方向に間隔を介して複数設けて成ることを特徴とする。操作部３２による操作信号を各送信部２９ａ、２９ｂから天井５０に向けて送信し、該操作信号を天井５０に反射させて装置本体３の受信部３０ａで受信するので、装置本体３や吐水スタンド２が設置される流し台２４等の設置面上に小物等の通信を阻害する障害物が置かれたとしても、この障害物をかわして操作信号を受信部３０ａで受信することができる。また送信部２９ａ、２９ｂを平面視で横管部３４の回動方向に間隔を介して複数設けたので、複数ある送信部２９ａ、２９ｂのうちいずれかの送信部の送信方向に回動自在となった吐水管３６の横管部３４が位置して通信が阻害されたとしても、他の送信部によって受信部３０ａとの通信を確保できる。
【０００８】
また請求項３は請求項１又は請求項２において、前記操作部３２による操作信号を各送信部２９ａ、２９ｂから天井５０に向けて送信し、該操作信号を天井５０に反射させて装置本体３の受信部３０ａで受信する水処理装置であって、各送信部２９ａ、２９ｂからの操作信号の送信方向を異ならせて成ることを特徴とする。操作部３２による操作信号を各送信部２９ａ、２９ｂから天井５０に向けて送信し、該操作信号を天井５０に反射させて装置本体３の受信部３０ａで受信するので、装置本体３や吐水スタンド２が設置される流し台２４等の設置面上に小物等の通信を阻害する障害物が置かれたとしても、この障害物をかわして操作信号を受信部３０ａで受信することができ、より確実な通信を実現できる。また各送信部２９ａ、２９ｂからの操作信号の送信方向を異ならせることで、広域に操作信号を送信でき、送受信可能範囲を拡大できる。
【０００９】
また請求項４は請求項１乃至３のいずれか１項において、前記操作部３２を構成する操作釦３２ａ〜３２ｃが押し操作された際には、各送信部２９ａ、２９ｂは出力時間ｔ２の同一の操作信号を所定の送信時間間隔ｔ１で繰り返し送信し、且つ異なる送信部２９ａ、２９ｂから送信される操作信号が重複しないように位相をずらして送信するものあって、受信部３０ａで操作信号を受信した後、該操作信号の終端から所定時間Ｔ（ここで所定時間Ｔは、ｔ１＜Ｔ＜ｔ１＋ｔ２、ｔ１：前記送信時間間隔、ｔ２：前記操作信号の出力時間）が経過するまでカウントし、該カウント時に操作信号を受信した場合に該カウント時に受信した操作信号の終端から前記所定時間Ｔが経過するまで新たにカウントし、以下、カウント時に操作信号を受信しなくなるまで前記制御を継続して行い、前記カウント時において操作信号を受信しなかった場合に当該カウント前に受信した前記操作信号に基づいて装置本体３の動作を制御することを特徴とする。上記制御により、操作釦３２ａ〜３２ｃの押し操作が解除された際には、最後に受信した操作信号の終端から所定時間Ｔが経過した時点で前記操作釦３２ａ〜３２ｃの押し操作の解除を検知でき、これにより速やかに装置本体３の動作を制御することができる。また特にこの場合、吐水スタンド２が装置本体３から左右方向に離れた位置に設置される等して受信される操作信号に歯抜け状態が生じたとしても、受信部３０ａで受信した操作信号とこの次に受信した操作信号との間で装置本体３の動作の制御がなされることを防止できる。
【００１０】
また本発明の請求項５に係る水処理装置は、原水を供給する水栓２５に付設されると共に原水吐水口を設けた切替ユニット４７と、切替ユニット４７とは離れた位置に設置されて切替ユニット４７から給水管２３を介して供給された原水を処理して処理水を生成する装置本体３と、装置本体３で生成した処理水を吐出する処理水吐出部４５を備え、切替ユニット４７は、水栓２５から供給された原水を前記原水吐水口から吐出するか、又は水栓２５から供給された原水を前記給水管２３を介して装置本体３に供給するかを切替える切替手段と、装置本体３を操作するための操作部３２と、該操作部３２が操作された際に操作信号を装置本体３に設けた受信部３０ａに無線送信する送信部２９ａ、２９ｂを備え、該切替ユニット４７は前記送信部２９ａ、２９ｂを複数備えて成ることを特徴とする。上記のように水処理装置を装置本体３と水栓２５に付設される切替ユニット４７で構成することで、装置本体３を切替ユニット４７から離れた所望の位置に配置でき、またこの切替ユニット４７に設けた操作部３２で装置本体３を遠隔操作でき、使い勝手が良い。また特に切替ユニット４７に送信部２９ａ、２９ｂを複数設けたので、複数ある送信部２９ａ、２９ｂのうちいずれかの送信部の送信方向に小物や水栓２５等の通信を阻害する障害物が位置したとしても、他の送信部によって受信部３０ａとの通信を確保でき、水処理装置を構成する装置本体３を障害物を考慮することなく自由な位置に設置できる。
【発明の効果】
【００１１】
請求項１に係る発明では、水処理装置を装置本体と別体の吐水スタンドで構成することで、処理水を吐出する吐水スタンドを装置本体から離れた所望の位置に配置でき、またこの吐水スタンドに設けた操作部で装置本体を遠隔操作でき、使い勝手が良い。また特に吐水スタンドに送信部を複数設けたので、複数ある送信部のうちいずれかの送信部の送信方向に小物や吐水スタンドの吐水部等の通信を阻害する障害物が位置したとしても、他の送信部によって受信部との通信を確保でき、水処理装置を構成する装置本体や吐水スタンドを障害物を考慮することなく自由な位置に設置できる。
【００１２】
また請求項２に係る発明では、請求項１に係る発明の効果に加えて、操作信号を天井に反射させて受信するので、装置本体や吐水スタンドが設置される流し台２４等の設置面上に小物等の通信を阻害する障害物が置かれたとしても、この障害物をかわして操作信号を受信部で受信することができ、より確実な通信を実現できる。また複数ある送信部のうちいずれかの送信部の送信方向に回動自在となった吐水管の横管部が位置して通信が阻害されたとしても、他の送信部によって受信部との通信を確保でき、この点でも確実な通信を実現できる。
【００１３】
また請求項３に係る発明では、請求項１又は請求項２に係る発明の効果に加えて、操作信号を天井に反射させて受信するので、装置本体や吐水スタンドが設置される流し台２４等の設置面上に小物等の通信を阻害する障害物が置かれたとしても、この障害物をかわして操作信号を受信部で受信することができ、より確実な通信を実現できる。また各送信部からの操作信号の送信方向を異ならせることで、広域に操作信号を送信でき、送受信可能範囲を拡大できる。
【００１４】
また請求項４に係る発明では、請求項１乃至請求項３のいずれか一項に係る発明の効果に加えて、操作釦の押し操作が解除された際には、最後に受信した操作信号の終端から所定時間が経過した時点で操作釦の押し操作の解除を検知でき、これにより速やかに装置本体の動作を制御することができる。また特にこの場合、吐水スタンドが装置本体から左右方向に離れた位置に設置される等して受信される操作信号に歯抜け状態が生じたとしても、受信部で受信した操作信号とこの次に受信した操作信号との間で装置本体の動作の制御がなされることを防止できる。
【００１５】
また請求項５に係る発明では、水処理装置を装置本体と水栓に付設される切替ユニットで構成することで、装置本体を切替ユニットから離れた所望の位置に配置でき、またこの切替ユニットに設けた操作部で装置本体を遠隔操作でき、使い勝手が良い。また特に切替ユニットに送信部を複数設けたので、複数ある送信部のうちいずれかの送信部の送信方向に小物や水栓等の通信を阻害する障害物が位置したとしても、他の送信部によって受信部との通信を確保でき、水処理装置を構成する装置本体を障害物を考慮することなく自由な位置に設置できる。
【発明を実施するための最良の形態】
【００１６】
以下、本発明を添付図面に示す実施形態に基づいて説明する。図１及び図２に示す本実施形態の一例の水処理装置は、原水からアルカリイオン水や酸性イオン水を生成したり、あるいは原水を浄水する電解水生成装置として利用されるものであって、水道水等の原水を処理する装置本体３と、装置本体３から離れた任意の位置に設置される吐水スタンド２を備え、装置本体３で処理された処理水を連絡管２０を介して吐水スタンド２に供給し、吐水スタンド２に設けた吐水部２１から吐水できるようになっている。
【００１７】
装置本体３は例えば図１に示すように屈曲自在のホースからなる給水管２３を介して流し台２４に設けた水栓２５に接続され、水栓２５を介して水道等の原水管１に連通接続される。なお図中２６は水栓２５に設けた分岐水栓からなる切替部であり、該切替部２６により水栓２５に供給された原水を水栓２５に設けた原水出口２７からそのまま吐水するか又は給水管２３を介して装置本体３に供給するかを切替可能としてある。
【００１８】
装置本体３は箱型のハウジングで外郭を構成してあり、図１に示すように水栓２５からやや離れた流し台２４の上等に設置される。図２に示すように装置本体３内には、内部配管２８及び浄水部４、カルシウム供給部５、電解槽７をはじめとする機器を収容している。内部配管２８の上流側は給水管２３に接続してあり、該内部配管２８の途中には上流側から順に浄水部４、流量センサ６、カルシウム供給部５、電解槽７を配設している。
【００１９】
浄水部４は原水管１より供給される原水中の残留塩素を吸収する活性炭及び一般細菌や不純物を取り除く中空紙膜を備えたカートリッジで構成してあり、装置本体３に対して着脱自在となっている。カルシウム供給部５は、グリセロリン酸カルシウムや乳酸カルシウム等のカルシウムイオンを原水中に投与するカルシウム添加筒からなり、原水の導電率を高める。
【００２０】
電解槽７は隔膜８によって槽内が二分され電極室７ａ、７ｂが形成され、各電極室７ａ、７ｂには電解処理用の電極として電極板９、１０を配設している。隔膜８は水中のイオン性物質は自由に通過するが液体の水自身の自由な往来を阻害する程度の微細な孔を有する。内部配管２８は電解槽７よりも上流側で且つカルシウム供給部５よりも下流側で二流路に分岐し、一方は電解槽７の電極板９を設けた電極室７ａの下端部に接続され、他方は電極板１０を設けた電極室７ｂの下端部に接続される。
【００２１】
電解槽７に設けた電極板９、１０は後述の本体側制御部１５を介して装置本体３に内蔵した電源部１６に接続してあり、両電極板９、１０に電源部１６から直流電圧を印加することで、相対的に両電極板９、１０のうち一方を陽極とすると共に他方を陰極とし、これにより電解槽７内に供給された水を電気分解して電解水を生成する。即ち両電極板９、１０間に電圧を印加すれば、陽極には塩化物イオン等の陰イオンが引き寄せられ、逆に陰極にはマグネシウムイオンやカルシウムイオンなどの陽イオンが引き付けられ、この時両電極板９、１０間に充分な電圧がかけられると水の電気分解が生じる。これにより陽極からは酸素ガスや塩素ガスが発生すると同時に水素イオンを水中に放出し、陰極からは水素ガスなどが発生すると同時に水酸化物イオンを水中に放出する。この結果、陽極側の水は酸性に片寄った塩化物イオン等の陰イオンが相対的に増加した水となり、陰極側の水はアルカリサイドに片寄ったナトリウムイオンやカルシウムイオン等の陽イオンが相対的に増加した水となる。この時の各電極の表面で起こる反応は以下のとおりである。
・陽極側  ２Ｈ２Ｏ        →  ４Ｈ  ＋Ｏ２＋４ｅ
２Ｃｌ          →  ＣＬ２＋２ｅ
・陰極側  ６Ｈ２Ｏ＋６ｅ  →  ６ＯＨ＋３Ｈ２
また上記両電極板９、１０の極性は本体側制御部１５により切替可能にしてあり、電極板９を陽極とし且つ電極板１０を陰極としたり、逆に電極板１０を陽極とし且つ電極板９を陰極としたりできる。従って、電極板９、１０の極性を切り替えることで、電解槽７の電極室７ａではアルカリイオン水又は酸性イオン水のいずれかを生成可能となっている。
【００２２】
装置本体３の電極室７ａの上端部は屈曲自在なホースで構成した連絡管２０を介して別体の吐水スタンド２に連通接続してあり、電極室７ａにて生成される使用水（電極板９が陰極の場合はアルカリイオン水、陽極の場合は酸性イオン水、電極板９、１０に電圧を印加しない場合は浄水）を連絡管２０を介して吐水スタンド２側に供給できるようになっている。また他方の電極板１０を備えた側の電極室７ｂには排水管１３を連通接続してあり、排水管１３に設けた排水用電磁弁１１を開くことで、電極室７ｂ側に流れた水を装置本体３の外部に排出できるようになっている。また、排水管１３の排水用電磁弁１１の上流側の部分には、内部配管の電解槽７の上流側の部分から分岐したバイパス管１９が接続され、このバイパス管１９に設けたバイパス弁１９ａを開くことで、バイパス弁１９ａ及び排水管１３を介して電解槽７内の滞留水等を排水できるようになっている。また排水管１３には電解槽７で電解水を効率良く生成するため流量調整弁等からなる流量調節部１２が設けてある。なおバイパス弁１９ａに替えてバイパス管１９の流路面積を小さくした絞り部（図示せず）で構成しても良い。
【００２３】
また装置本体３には、浄水部４の有無を検出する浄水部検知センサ１４、電極板９、１０に流れる電流量を検出する電解電流検出部２２、ＡＣ１００Ｖの商用電源４３に接続される電源投入用プラグ１７、電源投入用プラグ１７からの交流電源を直流電源に変換する電源部１６、装置本体３の動作を制御する本体側制御部１５を設けてあり、また装置本体３の上面には装置本体３の操作状態を表示するための表示部１８ａ及び本体側操作部１８ｂを備えた操作表示部１８と、後述の吐水スタンド２に設けた送信手段２９から送信された操作信号を受信するための受信手段３０を設けている。
【００２４】
一方、吐水スタンド２は装置本体３から離れた任意の位置に設置されるものであり、例えば図１に示すように流し台２４上の任意の位置に設置される。吐水スタンド２は前記流し台２４のような設置面上に設置されるベース部３１と、連絡管２０を介して装置本体３に接続されて装置本体３で生成した処理水を吐水する吐水部２１と、装置本体３を遠隔操作するための操作部３２と、該操作部３２が操作された際に操作信号３２を前記装置本体３に設けた受信手段３０に無線送信する送信手段２９を備えている。
【００２５】
吐水部２１は、ベース部３１の後部から立ち上げた縦管部３３と、縦管部３３の上端部から横方向に伸びる横管部３４とからなる吐水管３６で構成してあり、横管部３４の先端部には下方に開口して処理水を吐水する吐水口部３５を設けている。吐水管３６の縦管部３３の下端部はベース部３１に対して図３の矢印で示す方向に回動自在に接続してあり、これにより吐水管３６の横管部３４は縦軸回りに回動自在となっている。従って吐水管３６の横管部３４をベース部３１に対して回動することで、平面視で横管部３４の先端部に設けた吐水口部３５の位置を変更できる。
【００２６】
ベース部３１の設置面側となる下面の後部には下方に開口する凹部３７を形成してあり、該凹部３７には吐水管３６の縦管部３３の下端に連通する接続口部３８を設けている。接続口部３８には前記屈曲自在なホースで構成した連絡管２０の下流側端部を接続してあり、これにより吐水管３６が連絡管２０を介して電解槽７の電極室７ａに連通している。接続口部３８はベース部３１に対して図５の矢印に示すように前後軸回りに回動自在に設けてあり、凹部３７内において左右いずれかの方向に選択的に向けることが可能となっている。また凹部３７の左右両側壁の接続口部３８に対応する位置には下方に開口する連結管挿通用の切欠３９を形成してあり、左右いずれかの方向に向けた接続口部３８に接続した連絡管２０を該接続口部３８に対向する位置にある切欠３９を介して側方に引き出せるようになっている。またベース部３１の前部には電源となる電池５２と、送信側制御部４０とを内蔵している。またベース部３１には図示しない磁石を内蔵してあり、流し台２４等の設置面に鉄板等の磁性体を有する設置台（図示せず）を両面テープ等で固定し、該設置台に前記磁石の磁力を利用して吐水スタンド２のベース部３１を固定できるようになっている。
【００２７】
ベース部３１の上面の前部には装置本体３を遠隔操作するための操作部３２を設けている。図示例では操作部３２を構成する操作釦として、アルカリイオン水釦３２ａと、酸性イオン水釦３２ｂと、浄水釦３２ｃを設けてあり、制御基板４０ａ上の各操作釦３２ａ〜３２ｃに対応する位置には各操作釦３２ａ〜３２ｃの押し操作により切替えられるスイッチ部４２を実装してあり、各スイッチ部４２の切替状態から各操作釦３２ａ〜３２ｃが押し操作された状態にあるか否かを検出できるようになっている。
【００２８】
そして吐水スタンド２のベース部３１には前記送信側制御部４０に電気的に接続した送信手段２９を設けてあり、送信側制御部４０は、前記アルカリイオン水釦３２ａ、酸性イオン水釦３２ｂと、浄水釦３２ｃのいずれかが押し操作された場合には、送信手段２９により運転モードの識別信号を構成する操作信号を装置本体３の受信手段３０に無線送信し、該送信手段２９から送信された操作信号を装置本体３の受信手段３０で受信すると、装置本体３の本体側制御部１５はその運転モードを操作された操作釦３２ａ〜３２ｃに対応するアルカリイオン水モード、酸性イオン水モード、浄水モードのいずれかの運転モードに切替える。
【００２９】
上記水処理装置を利用する場合は、予め上述したように操作釦３２ａ〜３２ｃを操作して装置本体３の運転モードをアルカリイオン水モード、酸性イオン水モード、浄水モードのいずれかの運転モードに切り替えて確定した状態とし、この後、水栓２５を開き、原水管１から水栓２５及び給水管２３を介して装置本体３の内部配管２８に原水を供給する。これにより装置本体３に供給された原水は浄水部４、カルシウム供給部５、電解槽７の電極室７ａ又は７ｂを順に通過して処理され、この時、電解槽７の電極室７ａ内の処理水が連絡管２０、吐水管３６を通って吐水口部３５から吐水される。
【００３０】
ここで本体側制御部１５は上記アルカリイオン水モード、酸性イオン水モード、浄水モードのいずれかに切り替えると以下のように装置本体３を制御する。
【００３１】
即ちアルカリイオン水釦３２ａを操作してアルカリイオン水モードを選択した状態で、上記内部配管２８への原水の供給がなされた場合、流量センサ６にて内部配管２８を流れる原水の流量レベルが一定量を越えたことが検知され、この状態を通水中と判断して、電極板９が陰極で電極板１０が陽極となるように両電極板９、１０間に電圧を印加し、これにより電極室７ａでアルカリイオン水を生成して、吐水スタンド２の吐水管３６からアルカリイオン水を吐水する。そしてこの後、利用者により水栓２５が閉じられて止水がなされると、流量センサ６の検知に基づいて止水と判断し、前記両電極板９、１０間への電圧印加を停止する。なおこのアルカリイオン水モードにおける通水時には排水用電磁弁１１を開くように設定してあり、電極室７ｂにて生成された酸性イオン水が排水管１３を介して装置本体３の外部に排出される。
【００３２】
また酸性イオン水釦３２ｂを操作して酸性イオン水モードを選択した状態で、流量センサ６にて上記同様通水中と判断すると、電極板９が陽極で電極板１０が陰極となるように両電極板９、１０間に電圧を印加し、これにより電極室７ａでアルカリイオン水を生成して、吐水スタンド２の吐水管３６から酸性イオン水を吐水する。そしてこの後、利用者により水栓２５が閉じられて止水がなされると、流量センサ６の検知に基づいて止水と判断し、両電極板９、１０間への電圧印加を停止する。なおこの酸性イオン水モードにおける通水時には排水用電磁弁１１を開くように設定してあり、電極室７ｂにて生成されたアルカリイオン水が排水管１３を介して装置本体３の外部に排出される。
【００３３】
また浄水釦３２ｃを操作して浄水モードを選択した場合には両電極板９、１０に電圧が印加されないようになっている。従って水栓２５を開いて内部配管２８に原水が流れた場合には、浄水部４を通過して浄化された水が電解槽７の電極室７ａを電解処理されることなく通過し、吐水スタンド２の吐水管３６から浄水として吐水される。なお該浄水モードによる通水時には排水用電磁弁１１を閉じるように設定してあり、排水管１３からの排水は行われない。
【００３４】
なお装置本体３には本体側操作部１８ｂとして図示しないｐＨ調節釦を設けてあり、ｐＨ調節釦を操作することで、電源部１６から出力された直流電圧電流をパルス変調することで電解槽７の両電極９、１０間に印加する平均電圧を変化させ、上記アルカリイオン水モード及び酸性イオン水モードにおいて電解槽７で生成されるアルカリイオン水又は酸性イオン水のｐＨ濃度を調節できるようになっている。また本体側制御部１５はアルカリイオン水モード及び酸性イオン水モードにおいては電解電流検出部２２により電極板９、１０に流れる電流を監視しており、電極板９、１０に一定電流以上流れないよう上記電圧の印加時間を制御している。
【００３５】
また本体側制御部１５は流量センサ６の信号を読み取って通水量をカウントし総通水量が一定量に達した場合に浄水部４の交換時期であることを表示部１８ａで表示する。これにより利用者は浄水部４が目詰まりを起こしたことを認識でき、浄水部４の目詰まりによる電解性能を低下を防止できるようになっている。また原水の水質により通水量が一定量に達する前に目詰まりが進行することがあるが、これは流量センサ６の信号の変動を監視して、浄水部４の交換時期であることを表示部１８ａに表示することで防止されている。なお浄水部４が交換された際には浄水部検知センサ１４によりこれを検知できるようになっており、これにより新しい浄水部４が装着された場合には、上記通水量のカウント及び通水量の変動の監視を初期状態とする。ここで前記通水量のカウント及び通水量の変動の監視を初期状態とするのは本体側操作部１８ｂを操作することで行っても良い。
【００３６】
ここで上記水処理装置にあっては、図７に示すように吐水スタンド２の送信手段２９として複数の送信部２９ａ、２９ｂを設けてあり、また装置本体３には受信手段３０として前記各送信部２９ａ、２９ｂから送信された操作信号を受信する受信部３０ａを１個だけ設けてあり、また操作部３２の操作による操作信号を各送信部２９ａ、２９ｂから天井５０に向けて送信し、該操作信号を天井５０に反射させて装置本体３の受信部３０ａで受信するようになっている。
【００３７】
各送信部２９ａ、２９ｂは赤外線を照射するＬＥＤからなる光学式の送信素子で構成してある。各送信部２９ａ、２９ｂはベース部３１に内蔵した送信側制御部４０を構成する制御基板４０ａ上に左右並べて実装してあり、ベース部３１の前部において正面視で吐水管３６の縦管部３３を挟んだ左右両側の対称位置に配置されている。各送信部２９ａ、２９ｂは最大出力で送信可能となるその光軸方向を異ならせており、具体的には各送信部２９ａ、２９ｂを光軸が上方に行く程左右方向の外側（即ち他方の送信部から離れる方向）に位置して傾斜するように制御基板４０ａに傾けて実装し、これにより図７に示すように各送信部２９ａの送信方向（即ち光軸の方向）を鉛直方向に対して角度θａ又は角度θｂだけ左右方向に傾斜させている。またベース部３１の上面部において各送信部２９ａ、２９ｂの先端側に位置する箇所には透過窓部４１ａ、４１ｂを設けてあり、各送信部２９ａ、２９ｂから送信された操作信号は対向する透過窓部４１ａ、４１ｂを透過して装置本体３の斜め上方に送信される。
【００３８】
受信部３０ａは前記送信部２９ａ、２９ｂから送信される操作信号を受信可能な受信素子で構成してあり、図６（ｂ）に示すように装置本体３の上面部下方の上端部に内蔵した本体側制御部１５を構成する制御基板１５ａ上に実装してある。制御基板１５ａは受信部３０ａを実装した面である上面が上斜め前方を向くように水平方向に対して角度θ傾斜しており、これにより受信部３０ａは制御基板１５ａに直交する方向、即ち前斜め上方からの操作信号を最も受信しやすい状態となっている。また装置本体３の上面部において受信部３０ａに対向する位置には透過窓部４４を設けてあり、各送信部２９ａ、２９ｂから送信されて天井５０を反射した操作信号は該透過窓部４４を透過して受信部３０ａに至るようになっている。
【００３９】
以上説明したように本例の水処理装置は、装置本体３と、別体の吐水スタンド２で構成してあるので、処理水を吐出する吐水スタンド２を装置本体３から離れた所望の位置に配置でき、またこの吐水スタンド２に設けた操作部３２で装置本体３を遠隔操作でき、使い勝手が良い。また特に吐水スタンド２に送信部２９ａ、２９ｂを複数設けたので、複数ある送信部２９ａ、２９ｂのうちいずれかの送信部の送信方向に小物や吐水部２１（吐水管３６）等の通信を阻害する障害物が位置したとしても、他の送信部によって受信部３０ａとの通信を確保でき、水処理装置を構成する装置本体３や吐水スタンド２を障害物を考慮することなく自由な位置に設置することができる。
【００４０】
また本例では操作部３２による操作信号を各送信部２９ａ、２９ｂから天井５０に向けて送信し、該操作信号を天井５０に反射させて装置本体３の受信部３０ａで受信するので、装置本体３や吐水スタンド２が設置される流し台２４等の設置面上に小物等の通信を阻害する障害物が置かれたとしても、この障害物をかわして操作信号を受信部３０ａで受信することができ、より確実に通信を確保できる。
【００４１】
また本例では吐水部２１を、ベース部３１から立ち上げた縦管部３３と、縦管部３３の上端部から横方向に伸びて先端部に処理水を吐水する吐水口部３５を設けた横管部３４とからなる吐水管３６で構成し、該吐水管３６の横管部３４を縦軸回りに回動自在としてあり、加えて図３の透過窓部４１ａ、４１ｂの位置からもわかるように送信部２９ａ、２９ｂを平面視で横管部３４の回動方向に間隔を介して複数設けてあるので、複数ある送信部２９ａ、２９ｂのうちいずれかの送信部の送信方向に回動自在となった吐水管３６の横管部３４が位置して通信が阻害されたとしても、他の送信部によって受信部３０ａとの通信を確保することができる。
【００４２】
また本例では図７に示すように各送信部２９ａ、２９ｂからの操作信号の送信方向を異ならせてあり、且つ各送信部２９ａ、２９ｂの送信方向を反対方向に傾斜させているので、広域に操作信号を送信でき、送受信可能範囲を拡大できる。またこの場合、各送信部２９ａ、２９ｂの送信方向は鉛直方向に対して傾斜しているので、図９に示すように装置本体３が吐水スタンド２から比較的離れた位置に設置されたとしても、図１０に示す比較例のように送信方向を鉛直方向としたものと比較して出力の強い操作信号を受信部３０ａで受信でき、受信精度が向上する。さらに本例では図６（ｂ）に示すように受信部３０ａを実装した制御基板１５ａを傾斜させることで、受信部３０ａを前斜め上方からの操作信号を最も受信しやすい状態としたので、図８に示すように装置本体３の前方の比較的離れた位置に吐水スタンド２を設置したとしても、出力の強い操作信号を受信部３０ａで受信でき、受信精度が向上する。
【００４３】
ここで図１１（ａ）及び図１１（ｂ）に本例の受信部３０ａで受信した操作信号のうち一方の送信部からの操作信号を上段に、他方の送信部からの操作信号を下段に示したタイムチャートを示す。また比較例として図１２（ａ）及び図１２（ｂ）に、受信部３０ａで受信した操作信号のうち一方の送信部からの操作信号を上段に、他方の送信部からの操作信号を下段に示したタイムチャートを示す。ここで図１１（ａ）及び図１２（ａ）は各送信部２９ａ、２９ｂからの操作信号を受信部３０ａにて正常に受信した場合であり、図１１（ｂ）及び図１２（ｂ）は一方の送信部からの操作信号を受信部３０ａにて正常に受信できなかった場合である。なお図１１（ａ）、（ｂ）及び図１２（ａ）、（ｂ）では図１１（ａ）及び図１２（ａ）において受信部３０ａにて最初に受信される操作信号をフレーム１と記載し、２番目以降に受信される操作信号をフレーム２、フレーム３、・・・と記載する。
【００４４】
上記各送信部２９ａ、２９ｂから送信される操作信号はリーダ部及びデータ部等を図１１（ａ）に示すように所定時間ｔ２で一つのフレームとしてフレーム化したフレーム信号で構成される。そして送信側制御部４０は、吐水スタンド２に設けた操作部３２を構成する操作釦３２ａ〜３２ｃが押し操作された状態では、各送信部２９ａ、２９ｂは前記操作された操作釦３２ａに対応する出力時間ｔ２の同一の操作信号を所定の送信時間間隔ｔ１で繰り返し送信し、且つ異なる送信部２９ａ、２９ｂから送信される操作信号が重複しないように位相をずらして送信する。即ち本例では送信部を２個設けたものであるので、各送信部２９ａ、２９ｂから交互に操作信号が送信される。
【００４５】
装置本体３の本体側制御部１５は、受信部３０ａで図１１のフレーム１で示す最初の操作信号を受信した後、該最初の操作信号の終端から所定時間Ｔ′（ここで所定時間Ｔ′は、ｔ１＜Ｔ′＜ｔ１＋ｔ２の関係を満たす、ｔ１：前記送信時間間隔、ｔ２：前記操作信号の出力時間）が経過するまでカウントし、該カウント時に２番目の操作信号を受信しなかった場合には前記最初に受信した操作信号をキャンセルする。また前記最初のカウント時に最初の操作信号と同一の２番目の操作信号（図１１（ａ）ではフレーム２で示す操作信号であり、図１１（ｂ）ではフレーム３で示す操作信号）を受信した場合には該操作信号が装置本体３の運転モードを切替える操作信号として確定することとなり、以下、当該２番目の操作信号の終端から所定時間Ｔ（ここで所定時間Ｔは前述の所定時間Ｔ′と同じ時間であり、ｔ１＜Ｔ＜ｔ１＋ｔ２の関係を満たす）が経過するまでカウントし、当該カウント時に受信した２番目の操作信号の終端から前記所定時間Ｔが経過するまで新たにカウントし、以下、最初のカウントを除く２回目以降のカウント時に操作信号を受信しなくなるまで前記制御を継続して行い、２回目以降のカウント時において操作信号を受信しなかった場合に当該カウント前に受信した前記操作信号（即ち前記確定した操作信号）に基づいて装置本体３の運転モードを切替える。
【００４６】
上記のように本例の水処理装置は、操作部３２を構成する操作釦３２ａ〜３２ｃが押し操作された際に、各送信部２９ａ、２９ｂは出力時間ｔ２の同一の操作信号を所定の送信時間間隔ｔ１で繰り返し送信し、且つ異なる送信部から送信される操作信号が重複しないように位相をずらして送信するものであって、受信部３０ａで操作信号（本例では２番目の操作信号）を受信した後、該操作信号の終端から前記所定時間Ｔが経過するまでカウントし、該カウント時に操作信号を受信した場合に該カウント時に受信した操作信号の終端から前記所定時間Ｔが経過するまで新たにカウントし、以下、カウント時に操作信号を受信しなくなるまで前記制御を継続して行い、前記カウント時において操作信号を受信しなかった場合に当該カウント前に受信した前記操作信号に基づいて運転モードを切替えるという装置本体３の動作を制御するものであるので、操作釦３２ａ〜３２ｃの押し操作が解除された際には、最後に受信した操作信号の終端から所定時間Ｔが経過した時点で前記操作釦３２ａ〜３２ｃの押し操作の解除を検知でき、これにより速やかに装置本体３の運転モードを切替えるという動作を実行できる。また特にこの場合、吐水スタンド２が装置本体３から左右方向に離れた位置に設置されたり、いずれかの送信部の送信方向に障害物が位置するなどして、図１１（ｂ）に示すように受信部３０ａで受信される操作信号に歯抜け状態が生じたとしても、受信部３０ａで受信した操作信号と次に受信した操作信号との間で前記運転モードを切替えるという装置本体３の動作がなされることを防止できる。即ち例えば図１２（ａ）のように各送信部２９ａ、２９ｂからの操作信号が受信部３０ａで確実に受信できるものとして、前記所定時間Ｔを図１２のＴａに設定した場合には、図１２（ｂ）のように受信部３０ａで受信される操作信号に歯抜け状態が生じた場合に、受信部３０ａで受信した各操作信号の終端から時間Ｔａが経過した時点でその都度操作信号の確定がなされ、装置本体３の動作が制御されてしまうが、本例では上記制御によりこれを防止できる。
【００４７】
なお本例では上記所定時間Ｔのカウントを２番目の操作信号を受信した時に行い、以下既述のように制御したが、最初の操作信号を受信した時に当該最初の操作信号の終端の時点から所定時間Ｔのカウントを行っても良いし、また３番目以降の操作信号を受信した時に前記所定時間Ｔのカウントを行っても良いものとする。
【００４８】
次に上記一例とは異なる他例の水処理装置について説明する。なお以下の説明では上記一例の水処理装置と同一の構成については同一の番号を付与し、重複する説明は省略する。
【００４９】
図１３及び図１４に示すように本例の水処理装置は、上記吐水スタンド２を備えておらず、原水を供給する水栓２５に付設されると共に図示しない原水吐水口を設けた切替ユニット４７と、切替ユニット４７とは離れた位置に設置されて切替ユニット４７から給水管２３を介して供給された原水を処理して処理水を生成する装置本体３と、装置本体３で生成した処理水を吐出する処理水吐出部４５を備えている。
【００５０】
装置本体３の基本的構成は上記一例の水処理装置の装置本体３と同じであり、一例の水処理装置の連絡管２０に替えて、処理水吐出部４５を構成する吐出管４５ａを電解槽７の電極室７ａに連通接続した点が異なり、電極室７ａにて生成される使用水を吐出管４５ａの先端に設けた吐出口部４６から吐水できるようになっている。
【００５１】
切替ユニット４７は上面部の後部を水栓２５の原水出口２７と連通接続してあり、水栓２５から供給された原水を自身の原水吐水口から吐出するか、又は水栓２５から供給された原水を給水管２３を介して装置本体３に供給するかを切替える切替手段として切替レバー４８を設けている。切替レバー４８には上記一例において吐水スタンド２に設けた装置本体３を遠隔操作するための操作部３２（即ち図示は省略するがアルカリイオン水釦３２ａと、酸性イオン水釦３２ｂと、浄水釦３２ｃ）と、該操作部３２が操作された際に操作信号３２を装置本体３に設けた受信手段３０に無線送信する送信手段２９と、送信側制御部４０と、電源となる電池５２を設けてある。ここで操作部３２は切替ユニット４７の上面に設けてあり、また送信手段２９、送信側制御部４０、電池５２は切替ユニット４７に内蔵してある。
【００５２】
そして送信手段２９として上記一例と同様の送信部２９ａ、２９ｂを切替ユニット４７の前部両側の夫々に内蔵してあり、切替ユニット４７の上面部において各送信部２９ａ、２９ｂの先端側に位置する箇所には透過窓部４１ａ、４１ｂを設けてある。
【００５３】
このように水処理装置を装置本体３と水栓２５に付設される切替ユニット４７で構成することで、装置本体３を切替ユニット４７から離れた所望の位置に配置でき、またこの切替ユニット４７に設けた操作部３２で装置本体３を遠隔操作でき、使い勝手が良い。また特に切替ユニット４７に送信部２９ａ、２９ｂを複数設けたので、複数ある送信部２９ａ、２９ｂのうちいずれかの送信部の送信方向に小物や水栓２５のレバー等の通信を阻害する障害物が位置したとしても、他の送信部によって受信部３０ａとの通信を確保でき、水処理装置を構成する装置本体３を障害物を考慮することなく自由な位置に設置できる。
【００５４】
なお本例では装置本体３に処理水吐出部４５を構成する吐出管４５ａを設けて該吐出管４５ａから装置本体３で処理された処理水を吐水するようにしたが、切替ユニット４７に処理水吐出部４５を構成する吐出口（図示せず）を設けると共に、該吐出口をホース等で構成した復管により装置本体３の電解槽７の電極室７ａに連通接続し、これにより切替ユニット４７に設けた吐出口から処理水を吐水するようにしても良い。また上記一例及び他例の水処理装置にあっては、吐水スタンド２又は切替ユニットに送信部を２個設けたが、３個以上設けても良いものとする。
【図面の簡単な説明】
【００５５】
【図１】本発明の実施の形態の一例の水処理装置を示し、装置本体及び吐水スタンドを流し台に設置した状態を示す斜視図である。
【図２】同上の概略構成図である。
【図３】同上の吐水スタンドの上側から見た斜視図である。
【図４】（ａ）は同上の吐水スタンドの側断面図であり、（ｂ）は吐水スタンドの底面図である。
【図５】同上の吐水スタンドの下側から見た斜視図である。
【図６】（ａ）は受信部の位置を示した装置本体の前方から見た説明図であり、（ｂ）は側方から見た説明図である。
【図７】制御基板に実装した送信部の前方から見た説明図である。
【図８】受信部を実装した制御基板を傾けた時の受信状態を示す説明図である。
【図９】送信部の送信方向を鉛直方向に対して傾けた時の受信状態を示す説明図である。
【図１０】図９の比較例として送信部の送信方向を鉛直方向とした時の受信状態を示す説明図である。
【図１１】（ａ）（ｂ）は受信部で受信した操作信号のうち一方の送信部からの操作信号を上段に、他方の送信部からの操作信号を下段に示したタイムチャートであり、（ａ）は各送信部からの操作信号を受信部にて正常に受信した場合を示し、（ｂ）は一方の送信部からの操作信号を受信部にて正常に受信できなかった場合を示す。
【図１２】図１１の比較例として、（ａ）（ｂ）は受信部で受信した操作信号のうち一方の送信部からの操作信号を上段に、他方の送信部からの操作信号を下段に示したタイムチャートであり、（ａ）は各送信部からの操作信号を受信部にて正常に受信した場合を示し、（ｂ）は一方の送信部からの操作信号を受信部にて正常に受信できなかった場合を示す。
【図１３】他例の水処理装置の概略構成図である。
【図１４】同上の切替ユニットを水栓に付設した状態を示す斜視図である。
【符号の説明】
【００５６】
２  吐水スタンド
３  装置本体
２０  連絡管
２１  吐水部
２３  給水管
２９ａ  送信部
２９ｂ  送信部
３０ａ  受信部
３１  ベース部
３２  操作部
３３  縦管部
３４  横管部
３５  吐出口部
３６  吐水管
４５  処理水吐出部
４７  切替ユニット
５０  天井
【図１】
2008168235.tif 000003
【図２】
2008168235.tif 000004
【図３】
2008168235.tif 000005
【図４】
2008168235.tif 000006
【図５】
2008168235.tif 000007
【図６】
2008168235.tif 000008
【図７】
2008168235.tif 000009
【図８】
2008168235.tif 000010
【図９】
2008168235.tif 000011
【図１０】
2008168235.tif 000012
【図１１】
2008168235.tif 000013
【図１２】
2008168235.tif 000014
【図１３】
2008168235.tif 000015
【図１４】
2008168235.tif 000016